(57)【要約】    【課題】耐衝撃性の高い携帯送信機を提供する。    【解決手段】プリント基板７と、該プリント基板に半田付けされた電池ホルダ１３と、該電池ホルダに装着される電池１４とをケース（上ケース２、下ケース３）内に収容してなる携帯電子機器（送信機１）を、ケースの周壁８内面に対向する対向部１５および電池ホルダまたは電池の少なくともいずれか一方に当接する当接部（弾接部１８）を備えた合成樹脂製のバックアップ部材１０を、電池ホルダー及び電池とケースの周壁内面との間に介在させたことを特徴とするものとする。これにより、電池及び電池ホルダがバックアップ部材によって支持されるので、半田付け部分に作用する落下時の衝撃荷重による応力を低減することができる。【選択図】図１
2005228911.tif 000002
【特許請求の範囲】
【請求項１】
プリント基板と、該プリント基板に半田付けされた電池ホルダと、該電池ホルダに装着される電池とをケース内に収容してなる携帯電子機器であって、
前記ケースの周壁内面に対向する対向部および前記電池ホルダまたは前記電池の少なくともいずれか一方に当接する当接部を備えた合成樹脂製のバックアップ部材を、前記電池ホルダ及び前記電池と前記ケースの周壁内面との間に介在させたことを特徴とする携帯電子機器。
【請求項２】
前記当接部の少なくとも一部は、弾接部として形成されるものであることを特徴とする請求項１に記載の携帯電子機器。
【請求項３】
前記ケースには、前記プリント基板の一面を覆うべく弾性材からなる有底箱状のシール部材が装着されており、
該シール部材の周壁が、前記ケースの周壁内面と前記バックアップ部材の前記対向部との間に挟まれることを特徴とする請求項１若しくは２に記載の携帯電子機器。
【発明の詳細な説明】
【技術分野】
【０００１】
本発明は、自動車のキーレスエントリーシステムの送信機等に用いるのに好適な携帯電子機器に関するものである。
【背景技術】
【０００２】
自動車のドアキーなどの施・解錠を遠隔操作するための携帯送信機が既に実用に供されている（例えば特許文献１を参照されたい）。
【０００３】
この種の携帯電子機器は、２つ割に構成された合成樹脂製のケース内にプリント基板およびボタン形の水銀電池を収納することが一般的であり、ケース内に設けられた電池ホルダに電池を装着すると、プリント基板に半田付けされた電源端子に電池の電極が接触するようにされている。そして合成樹脂製の電池ホルダに電源端子を一体結合したものが、規格品として提供されている。これによれば、電源端子と電池ホルダとの相対位置は正確に決まっているので、プリント基板に電源端子を半田付けするだけで、適正な位置に電池ホルダが固定されるという利点が得られる。
【特許文献１】特開２００１−３３９１７６号
【発明の開示】
【発明が解決しようとする課題】
【０００４】
しかるに、この従来構成によると、電池の電極と電源端子との接触状態は安定する反面、プリント基板に対する電池ホルダの結合力は専ら電源端子の半田付け強度に依存することになるため、例えば落下させた時などに電池に作用する慣性力が半田付け部に直接作用し、その衝撃荷重で半田付け部が破損するおそれがあった。
【課題を解決するための手段】
【０００５】
このような課題を解決し、耐衝撃性の高い携帯電子機器を提供するため、本発明の請求項１は、プリント基板（７）と、該プリント基板に半田付けされた電池ホルダ（１３）と、該電池ホルダに装着される電池（１４）とをケース（上ケース２、下ケース３）内に収容してなる携帯電子機器（１）を、ケースの周壁（８）内面に対向する対向部（１５）および電池ホルダまたは電池の少なくともいずれか一方に当接する当接部（弾接部１８）を備えた合成樹脂製のバックアップ部材（１０）を、電池ホルダー及び電池とケースの周壁内面との間に介在させたことを特徴とするものとした。
【０００６】
また請求項２は、上記の当接部の少なくとも一部を、弾接部として形成するものとした。
【０００７】
さらに請求項３は、上記構成に加えて、プリント基板の一面を覆うべく弾性材からなる有底箱状のシール部材（６）をケース（下ケース３）に装着し、バックアップ部材に設けた対向部（１５）とケースの周壁（８）内面との間にシール部材の周壁（９）を挟ませることを特徴とするものとした。
【発明の効果】
【０００８】
このような本発明の請求項１の構成によれば、電池あるいは電池ホルダがバックアップ部材の当接部によって支持されるので、半田付け部分に作用する落下時の衝撃荷重による応力を低減することができ、耐衝撃性を高める上に大きな効果を奏することができる。
【０００９】
また請求項２の構成によれば、弾接部が弾発的に衝撃荷重を受け止めるので、衝撃吸収性を高める上に効果的である。
【００１０】
さらに請求項３の構成によれば、バックアップ部材の対向部によってケースの周壁内面にシール部材の周壁が押さえつけられるので、シール部材の周壁の倒れが防止され、十分なシール性を確保する上に効果的である。
【発明を実施するための最良の形態】
【００１１】
以下に添付の図面を参照して本発明について詳細に説明する。
【００１２】
図１は、本発明が適用される携帯電子機器として、自動車のドアキーなどの施・解錠を遠隔操作するための携帯送信機の全体構成を示している。この携帯送信機１は、下面が開放された有底箱状に硬質な合成樹脂材にて形成された上ケース２と、上面が開放された有底箱状に硬質な合成樹脂材にて形成された下ケース３と、下ケース３の底壁４内面にその底壁５が概ね密接し、且つ上面が開放された有底箱状に軟質な合成樹脂材にて形成されたシール部材６と、シール部材６にてその下面及び外周縁が覆われるように上下両ケース２・３内に収容されるプリント基板７と、下ケース３の周壁８内面との間にシール部材６の周壁９を挟み込む態様に設けられるバックアップ部材１０とからなっている。なお、上下の方向性は、説明の便宜上定めたことであり、実用上は上述の方向に規定されるものではない。
【００１３】
図２に併せて示したように、送信回路等のチップ１１が実装されたプリント基板７の上面には、電源端子１２が半田付けされると共に、電源端子１２に一体的に結合された電池ホルダ１３が、電源端子１２の半田付けによって固定されている。この電池ホル１３には、ボタン形の水銀電池１４が装着される。
【００１４】
バックアップ部材１０は、下ケース３の周壁８と適宜な間隔を置く枠形に弾性に富む合成樹脂材で形成されており、下ケース３に略密接したシール部材６の周壁９内面に当接して下ケース３の周壁８内面の要所に対向する複数の（本実施例では６ヶ所）対向部１５が、外側方へ突出するように形成されている。またその内方には、電池ホルダ１３の電源端子１２との結合部１６の外形輪郭を囲む部分１７と、電池１４の外周面の一部に弾発的に当接する弾接部１８とが形成されている。
【００１５】
このように構成された携帯送信機１は、下ケース３の要所に形成された突条１９と、上ケース２に突条１９に対応して形成された溝（図示せず）とが、両ケース２・３を形成する材料自体の弾性をもって互いに係合させることによって両ケース２・３が一体結合し、その際に、シール部材６の周壁９の上縁が上ケース２の外周部下面に密接して所期の水密性が得られるようになっている。
【００１６】
この携帯送信機１が落下すると、その重心位置が電池１４側に偏っているために電池側を下にして床に衝突する。そのため、電池１４の慣性力により、電池ホルダ１３の図２における上側の壁に大きな衝撃荷重が作用することとなる。このような衝撃荷重は、電池ホルダ１３に一体的に結合された電源端子１２のプリント基板７に対する半田付け部分に大きな応力を作用させ、電池ホルダ１３の破損や半田付け部の剥離を誘発する要因となり得る。
【００１７】
そこで本発明においては、電池１４の外周の点対称位置に弾発的に当接する弾接部１８と、電池ホルダ１３の電源端子結合部１６を囲む部分１７とを、バックアップ部材１０に設けるものとした。これにより、電池１４及び電池ホルダ１３がバックアップ部材１０にて弾発的に支持されるので、落下衝撃が吸収され、電池ホルダ１３及び電池ホルダに一体結合された電源端子１２の半田付け部に作用する応力を低減することができる。
【００１８】
また、シール部材６の周壁９の要所がバックアップ部材１０に形成された対向部１５によって下ケース３の周壁８内面に押さえつけられるので、これによってシール部材６の周壁９の倒れが防止され、シール部材６の開放側端縁の上ケース２内面に対する密接が損なわれずに済むので、十分に高いシール性を確保することができる。
【００１９】
なお、電池１４或いは電池ホルダ１３を支持するバックアップ部材１０は、要するに落下した際の電池１４の慣性力を受け止め、電池ホルダ１３から電源端子１２に衝撃荷重が伝わり難くできれば良いので、剛体で形成しても良い。またバックアップ部材１０で支持する部分は、電池１４と電池ホルダ１３とのいずれか一方でも良いし、勿論両方でも良い。
【産業上の利用可能性】
【００２０】
本発明は、上述した通り、衝撃が加わった際に電池１４の慣性力を受け止めて、電源端子１２の半田付け部や電池ホルダ１３に作用する応力を緩和して破損を防ぐので、この種のボタン形電池を内蔵する携帯電子機器に広汎に適用可能である。
【図面の簡単な説明】
【００２１】
【図１】本発明装置の分解斜視図である。
【図２】本発明装置の上ケースを除去して見た平面図である。
【符号の説明】
【００２２】
１  携帯送信機
２  上ケース
３  下ケース
６  シール部材
７  プリント基板
８  ケースの周壁
９  シール部材の周壁
１０  バックアップ部材
１３  電池ホルダ
１４  電池
１５  対向部
１８  弾接部
【図１】
2005228911.tif 000003
【図２】
2005228911.tif 000004